(57)【要約】【課題】撮像装置を小型化しつつも大型のディスプレイを搭載し、従来、発光ダイオードによって表示していた情報も表示できるようにする。【解決手段】撮像装置は、被写体画像を表示可能なディスプレイ５を有する。該撮像装置は、撮像装置の電源が投入されている状態で、ディスプレイが被写体画像を表示する画像表示状態とディスプレイが被写体画像を表示しない画像非表示状態とに切り換えるための切換手段５０，７０，４０と、ディスプレイが画像非表示状態にあるときに、該ディスプレイに該撮像装置に関する情報を表示させる情報表示手段５０，２８とを有する。【選択図】図２
2010232946.tif 000002
【特許請求の範囲】
【請求項１】
被写体画像を表示可能なディスプレイを有する撮像装置であって、
該撮像装置の電源が投入されている状態で、前記ディスプレイが前記被写体画像を表示する画像表示状態と、前記ディスプレイが前記被写体画像を表示しない画像非表示状態とに切り換えるための切換手段と、
前記ディスプレイが前記画像非表示状態にあるときに、該ディスプレイに該撮像装置に関する情報を表示させる情報表示手段とを有することを特徴とする撮像装置。
【請求項２】
前記撮像装置に関する情報は、該撮像装置の電源が投入されていることを示す情報、オートフォーカスの状態を示す情報、及びフラッシュが点灯することを示す情報のうち少なくとも１つを含むことを特徴とする請求項１に記載の撮像装置。
【請求項３】
該撮像装置は、光学ファインダを有し、
前記撮像装置に関する情報が、前記光学ファインダに接眼した撮影者の視野に入る領域に表示されることを特徴とする請求項１又は２に記載の撮像装置。
【請求項４】
該撮像装置は、光学ファインダを有し、
前記切換手段は、前記光学ファインダに対する撮影者の接眼を検出する検出手段を含み、
前記切換手段は、前記ディスプレイが前記画像表示状態にあるときに前記検出手段によって前記接眼が検出されることに応じて、該ディスプレイを前記画像非表示状態に切り換え、
前記情報表示手段は、前記画像非表示状態に切り換えられた前記ディスプレイに前記撮像装置に関する情報を表示させることを特徴とする請求項１から３のいずれか１つに記載の撮像装置。
【請求項５】
前記ディスプレイは、複数のバックライト光源を有し、
前記ディスプレイに前記撮像装置に関する情報を表示させるときに、前記被写体画像を表示させる場合に比べて、点灯する前記バックライト光源の数を少なくすることを特徴とする請求項１から４のいずれか１つに記載の撮像装置。
【発明の詳細な説明】
【技術分野】
【０００１】
本発明は、被写体画像を表示可能なディスプレイを有する撮像装置に関する。
【背景技術】
【０００２】
デジタルスチルカメラ等の撮像装置には、ＣＣＤセンサ等の撮像素子を用いて取得される被写体画像（動画像）を背面ディスプレイに表示して、撮影者が撮像構図を決定し易いようにしている。背面ディスプレイには、被写体画像とともに、撮像装置のバッテリ残量、設定されている撮像モード、オートフォーカスの状態、手振れ補正機能が有効となっていること、及び撮像記録時にフラッシュが点灯されるか否か等を示す情報が表示される。
また、撮像装置には、背面ディスプレイに加えて、光学ファインダも搭載されているものがある。そして、光学ファインダを通して被写体を観察する場合には、背面ディスプレイを非表示状態とするためのスイッチも設けられている。さらに、光学ファインダの近傍に緑色や黄色の発光ダイオード（ＬＥＤ）が設けられていることがある。これらの発光ダイオードは、電源のオン／オフ、オートフォーカスの状態、フラッシュが点灯されるか否か等の情報を表示する。発光ダイオードは、背面ディスプレイを非表示状態として光学ファインダを使用する際に、該接眼窓を除く撮影者にも見えるように光学ファインダの接眼窓の近傍に配置される。
【０００３】
撮像装置には、小型化が要求されている一方で、背面ディスプレイについては大型化が要求されている。ところが、光学ファインダの近傍にＬＥＤが設けられているために、背面ディスプレイの大型化が困難になっている。
特許文献１には、背面ディスプレイをカメラ本体に対して上下方向にスライド可能とし、背面ディプレイを下方にスライドさせることで、光学ファインダの接眼窓と発光ダイオードとを露出させることができるようにしたカメラが開示されている。これにより、光学ファインダと発光ダイオードを有するカメラ本体に対して、背面ディスプレイを大型化することは可能である。
【先行技術文献】
【特許文献】
【０００４】
【特許文献１】特開平１０−１９１１１４号公報
【発明の概要】
【発明が解決しようとする課題】
【０００５】
しかしながら、特許文献１にて開示されたカメラでは、カメラ本体の背面側に背面ディプレイを独立したユニットとして配置した上で、これを上下方向にスライドさせる複雑な機構が必要となる。このため、カメラの厚みが大きくなり、部品点数も増加する。また、光学ファインダの使用／不使用に応じて背面ディスプレイのスライド操作が必要であるため、操作が煩わしい。
本発明は、小型でありながらも大型のディスプレイを搭載可能であり、しかも従来、発光ダイオードによって表示していた情報を表示できるようにした撮像装置を提供する。
【課題を解決するための手段】
【０００６】
本発明の一側面としての撮像装置は、被写体画像を表示可能なディスプレイを有する。撮像装置は、撮像装置の電源が投入されている状態で、ディスプレイが被写体画像を表示する画像表示状態と、ディスプレイが被写体画像を表示しない画像非表示状態とに切り換えるための切換手段と、ディスプレイが画像非表示状態にあるときに、ディスプレイに撮像装置に関する情報を表示させる情報表示手段とを有することを特徴とする。
【発明の効果】
【０００７】
本発明によれば、ディスプレイが画像非表示状態にあるときでも、従来、発光ダイオードによって表示していた情報を含む撮像装置に関する情報をディスプレイに表示することができる。したがって、ディスプレイをスライドさせる等の複雑な構成を採ることなく、小型の撮像装置に対して大型のディスプレイを搭載することができる。
【図面の簡単な説明】
【０００８】
【図１】本発明の実施例１であるカメラの前面斜視図。
【図２】実施例１のカメラの電気的構成を示すブロック図。
【図３】実施例１のカメラの背面ディスプレイにマークを表示した様子を示す背面斜視図。
【図４】本発明の実施例２であるカメラの背面ディスプレイにマークと文字を表示した様子を示す背面斜視図。
【図５】本発明の実施例２であるカメラに用いられるＬＣＤを示す斜視図。
【発明を実施するための形態】
【０００９】
以下、本発明の好ましい実施例について図面を参照しながら説明する。
【実施例１】
【００１０】
図１及び図２にはそれぞれ、本発明の実施例１であるコンパクトデジタルスチルカメラ（撮像装置：以下、カメラという）の外観を示している。
１はカメラ本体であり、その内部にはＣＣＤセンサやＣＭＯＳセンサ等の撮像素子、カメラの動作に必要な電気回路、カメラの電源を供給するバッテリ、及び被写体画像を記録する半導体メモリ等の記録媒体（いずれも図示せず）が収容されている。
図１において、カメラ本体１の被写体側の面（以下、前面という）には、被写体像を撮像素子上に形成する沈胴式の撮影レンズ鏡筒２が設けられている。また、カメラ本体１の前面における撮影レンズ鏡筒２の上方には、光学ファインダの開口部３やフラッシュの発光窓４が設けられている。さらに、カメラ本体１の上面には、測光やオートフォーカス等を含む撮像準備動作を開始させたり、撮像記録動作を開始させたりするためのシャッタースイッチ６が設けられている。
図２において、カメラ本体１の背面には、背面ディスプレイとしての液晶ディスプレイ（以下、ＬＣＤという）５が設けられている。ＬＣＤ５は、撮像素子を用いて生成された被写体画像（動画像）を表示可能である。また、ＬＣＤ５は、撮像記録動作によって記録された被写体画像（静止画像又は動画像）を再生表示することもできる。
また、カメラ本体１の背面におけるＬＣＤ５の上方には、光学ファインダの接眼窓３が設けられている。カメラ本体１の背面におけるＬＣＤ５の側方には、モード設定レバー８と複数の操作スイッチ７０が設けられている。モード設定レバー８をスライド操作することで、静止画撮像モードと動画撮像モードとの切り換えや、記録された被写体画像を再生表示する再生モードの設定が可能である。また、複数の操作スイッチ７０を操作することで、カメラの各種設定や、カメラの電源が投入された状態でのＬＣＤ５の画像表示状態（被写体画像を表示する状態）と画像非表示状態（被写体画像を表示しない状態）との切り換えを行うことができる。
カメラ本体１の底面には、バッテリや記録媒体を収納する収納室を開閉する蓋部材が設けられている。
図３には、本実施例のカメラの電気的構成（一部に光学的構成を含む）を示している。１０３は撮影レンズ鏡筒２内に収容された撮影レンズであり、１０１は絞り機能を備えるシャッターである。２２は前述した撮像素子である。２３は撮像素子２２からのアナログ出力信号をデジタル撮像信号に変換するＡ／Ｄ変換器である。
【００１１】
１５は画像処理部であり、Ａ／Ｄ変換器２３からのデジタル撮像信号に対して、画素補間、色変換処理等の各種処理を行うことにより、画像データを生成する。生成された画像データは、Ｄ／Ａ変換器１３にてアナログ画像データに変換される。
２８は画像表示部であり、前述したＬＣＤ５と、これを駆動する電気回路を含む。また、ＬＣＤ５は、後述するバックライトを有している。
５０はシステム制御部であり、カメラ全体の動作の制御を司る。システム制御部５０は、画像処理部１５で生成された画像データを用いて、露光制御（例えば、シャッター１０１の開閉制御、撮像素子２２の光電変換制御、フラッシュの発光制御）やオートフォーカス制御を行う。
１６は画像データを圧縮／伸張する圧縮・伸張部であり、ここで圧縮された画像データはインターフェース１８を介して記録媒体１９に記録される。また、圧縮・伸張部１６は、記録媒体１９に記録された画像データを読み出して伸張する。伸張された画像データは、Ｄ／Ａ変換器１３にてアナログ画像データに変換され、画像表示部２８にてＬＣＤ５に表示される。
５６は不揮発性メモリであり、システム制御部５０の動作用の定数やコンピュータプログラム等を記憶している。
シャッタースイッチ６には、ＳＷ１とＳＷ２の２つのスイッチが内蔵されており、それぞれシャッタースイッチ６の第１ストローク操作（半押し操作）と第２ストローク操作（全押し操作）によりＯＮになる。シャッタースイッチ６、操作スイッチ７０及びモード設定レバー８からの操作信号はシステム制御部５０に入力され、システム制御部５０は、該操作信号に応じた動作や処理を行う。具体的には、ＳＷ１のＯＮに応じて前述した撮像準備動作を行い、ＳＷ２のＯＮに応じて撮像記録動作を行う。また、操作スイッチ７０からの操作信号に応じて、前述したＬＣＤ５の画像表示状態と画像非表示状態との切り換えを行う。
【００１２】
７２は電源スイッチである。電源スイッチ７２がＯＮされることで、カメラの電源が投入され、システム制御部５０による撮像準備動作、撮像記録動作、ＬＣＤ５の表示動作、記録画像の再生動作等が可能になるように電源制御部３９を介してシステム制御部５０に電源が供給される。
【００１３】
４０は接眼センサ（検出手段）であり、撮影者が光学ファインダの接眼窓３を除く位置に顔を配置したときに、接眼を検出する。例えば、接眼センサ４０は、発光素子から射出した赤外光が撮影者の顔で反射して受光素子で受光されることで、接眼を検出する。システム制御部５０は、ＬＣＤ５が表示状態にあるときに接眼センサ４０によって接眼が検出されると、ＬＣＤ５を非表示状態に自動的に切り換える。
なお、上述したシステム制御部５０及び画像表示部２８により情報表示手段が構成され、システム制御部５０、操作スイッチ７０及び接眼センサ４０により切換手段が構成される。
このように、本実施例では、カメラの電源が投入された状態において、操作スイッチ７０の操作に応じて、又は接眼センサ４０による接眼の検出に応じて、ＬＣＤ５が画像表示状態から画像非表示状態に切り換えられる。そして、システム制御部５０は、画像非表示状態にあるＬＣＤ５に、図２に示すように、カメラ（撮像装置）に関する情報を示すマーク（指標又は表示情報）５ａ，５ｂ，５ｃを表示させる。
マーク５ａ，５ｂ，５ｃは、点灯表示だけでなく、点滅表示もなされ、さらに緑色、黄色、赤色、青色等の様々な色で表示されてもよい。マーク５ａ，５ｂは、ＬＣＤ５における光学ファインダ３の近傍、言い換えれば接眼窓３に接眼した撮影者の視野に入る領域に表示される。マーク５ｃは、例えば、ＬＣＤ５の上側の角部近傍に表示される。
マーク５ｃは、接眼窓３を通して光学ファインダを除く前に撮影者が知るべきカメラに関する情報、例えば、電源のオン／オフ状態を表示する。
また、マーク５ａ，５ｂは、接眼窓３を通して光学ファインダを除いている撮影者が知るべきカメラに関する情報を表示する。この情報には、例えば、オートフォーカスの状態、露出補正の状態、画像データの処理（記録／読み出し／消去／パーソナルコンピュータやプリンタ等への転送）の状態、フラッシュの充電状態及び発光の有無、手振れ補正機能の有効／無効等がある。マクロ撮像が可能なカメラでは、マクロ撮像モードと通常撮像モードの設定状態も含む。
画像非表示状態にあるＬＣＤ５にこれらマーク５ａ，５ｂ，５ｃを表示させることにより、従来のようにＬＣＤとは別に緑色や黄色等で上記カメラに関する情報の一部を表示するＬＥＤを設ける必要がなくなる。このため、カメラ本体１の限られた背面スペースに対して大型のＬＣＤ５を配置することが可能となる。
また、カメラ本体１の内部に、ＬＥＤからの光が光学ファインダの内部や撮像素子２２の周辺に入り込まないようにするための遮光部材を設けることも不要となる。したがって、カメラの小型化や軽量化に有効である。
なお、上述したＬＣＤ５における各マークの表示位置やマークの形や数、さらには各マークが示す情報は例に過ぎず、これらを任意に設定することが可能である。
【実施例２】
【００１４】
図４には、本発明の実施例２であるカメラの背面を示す。図５において、実施例１と同じ構成要素には、実施例１と同じ符号を付している。
本実施例でも、カメラの電源が投入された状態で画像非表示状態にあるＬＣＤ５にマーク５ａ，５ｂ，５ｃを表示させるが、さらに各マークが示す情報の内容に対応する文字（記号や数字でもよい）５ｄ，５ｅを表示する。
本実施例によれば、マーク５ａ，５ｂ，５ｃだけでは分かりにくい情報の内容も明確に撮影者に知らせることができる。
【実施例３】
【００１５】
図５を用いて本発明の実施例３について説明する。図５には、カメラ本体１の背面に取り付けられＬＣＤ５を示している。
ＬＣＤ５は、液晶パネル本体３０と、その裏面側に配置された、集光拡散シート、導光板及び複数（図では、例として４つ）のバックライト光源２９ａを実装したフレキシブル基板２９とにより構成されている。
システム制御部５０は、ＬＣＤ５が画像表示状態にあるときには、上記複数のバックライト光源２９ａのすべてを点灯させ、ＬＣＤ５の全体に明るい被写体画像が表示されるようにする。
一方、ＬＣＤ５が画像非表示状態にあるときには、表示状態のときに比べて、点灯させるバックライト光源２９ａの数を少なくする。図５には、点灯するバックライト光源２９ａを複数のバックライト光源２９ａのうち最も上側に配置された１つにした様子を示している。これは、図２や図４に示すように、マーク５ａ〜５ｃや文字５ｄ，５ｅがＬＣＤ５の上部領域に表示される場合に各マークや文字を明るく表示するとともに、何も表示されないＬＣＤ５の下部領域を照明することで無駄な電力が消費するのを回避するためである。
なお、本実施例では、背面ディスプレイとしてＬＣＤを用いる場合について説明したが、本発明のカメラ（撮像装置）では、自発光型表示素子である有機ＥＬのようにバックライト光源を必要としない背面ディスプレイを用いてもよい。この場合も、有機ＥＬにおけるマーク５ａ〜５ｃや文字５ｄ，５ｅを表示する領域のみ駆動するようにすれば、無駄な電力消費を回避することができる。
以上説明した各実施例は代表的な例にすぎず、本発明の実施に際しては、各実施例に対して種々の変形や変更が可能である。
本発明は、デジタルスチルカメラだけでなく、ビデオカメラや、携帯電話に設けられた小型カメラ等を含む様々な撮像装置に適用することができる。
【符号の説明】
【００１６】
１  カメラ本体
２  撮影レンズ鏡筒
５  ＬＣＤ
５ａ〜５ｃ  マーク
５ｄ，５ｅ  文字
８  モ−ド設定レバー
７０  操作スイッチ
【図１】
2010232946.tif 000003
【図２】
2010232946.tif 000004
【図３】
2010232946.tif 000005
【図４】
2010232946.tif 000006
【図５】
2010232946.tif 000007